(57)【要約】      （修正有）【課題】セキュリティの低下を抑制するとともに、より多くの人が建物の中に避難することができるセキュリティシステムを提供する。【解決手段】建物における複数の管理区画のそれぞれに形成された出入口を開閉する複数のドアのそれぞれに対応して設けられ、ドアを施錠する施錠位置とドアが解錠される解錠位置との間で変位する複数の錠装置４１と、それぞれの錠装置４１を変位させる複数の錠駆動装置４２と、建物に進入する避難者の数を示す避難者数情報が入力され、それぞれの錠駆動装置４２の駆動を制御する錠駆動制御装置１１と、避難者受入指令を受信する受信装置１２とを備え、錠駆動制御装置１１は、受信装置１２が避難者受入指令を受信する場合に、避難者数情報に基づいて、予め設定された順にそれぞれの錠装置４１が施錠位置から解錠位置に変位するようにそれぞれの錠駆動装置４２を制御する。【選択図】図２
2015074921.tif 000002
【特許請求の範囲】
【請求項１】
建物における複数の管理区画のそれぞれに形成された出入口を開閉する複数のドアのそれぞれに対応して設けられ、前記ドアを施錠する施錠位置と前記ドアが解錠される解錠位置との間で変位する複数の錠装置と、
それぞれの前記錠装置を変位させる複数の錠駆動装置と、
前記建物に進入する避難者の数を示す避難者数情報が入力され、それぞれの前記錠駆動装置の駆動を制御する錠駆動制御装置と、
避難者受入指令を受信する受信装置と
を備え、
前記錠駆動制御装置は、前記受信装置が前記避難者受入指令を受信する場合に、前記避難者数情報に基づいて、予め設定された順にそれぞれの前記錠装置が前記施錠位置から前記解錠位置に変位するようにそれぞれの前記錠駆動装置を制御することを特徴とするセキュリティシステム。
【請求項２】
それぞれの前記管理区画に設けられた複数の情報端末装置を制御する情報端末制御装置をさらに備え、
前記情報端末制御装置は、前記受信装置が前記避難者受入指令を受信することによって前記錠装置が前記施錠位置から前記解錠位置に変位する場合に、前記施錠位置から前記解錠位置に変位する前記錠装置に対応する前記管理区画に設けられている前記情報端末装置の状態を通常状態から情報漏洩防止状態に変化させることを特徴とする請求項１に記載のセキュリティシステム。
【請求項３】
前記施錠位置から前記解錠位置に変位する前記錠装置に対応する前記管理区画を示す開放管理区画情報を報知する報知装置をさらに備えたことを特徴とする請求項１または請求項２に記載のセキュリティシステム。
【請求項４】
前記建物に進入する前記避難者を数える避難者計数装置をさらに備え、
前記避難者計数装置は、前記避難者計数装置の計数結果を前記避難者数情報として前記錠駆動制御装置に送信することを特徴とする請求項１から請求項３までの何れか一項に記載のセキュリティシステム。
【請求項５】
前記管理区画に設けられた警報装置をさらに備え、
前記警報装置は、前記受信装置が前記避難者受入指令を受信することによって、前記警報装置が設けられている前記管理区画に対応する前記錠装置が前記施錠位置から前記解錠位置に変位する場合に、前記警報装置が設けられている前記管理区画が開放されることを報知することを特徴とする請求項１から請求項４までの何れか一項に記載のセキュリティシステム。
【請求項６】
建物における複数の管理区画のそれぞれに形成された出入口を開閉する複数のドアのそれぞれに対応して設けられ、前記ドアを施錠する施錠位置と前記ドアが解錠される解錠位置との間で変位する複数の錠装置と、それぞれの前記錠装置を変位させる複数の錠駆動装置と、前記建物に進入する避難者の数を示す避難者数情報が入力され、それぞれの前記錠駆動装置の駆動を制御する錠駆動制御装置と、避難者受入指令を受信する受信装置とを備えたセキュリティシステムを用いたセキュリティ管理方法であって、
前記受信装置が前記避難者受入指令を受信する避難者受入指令受信工程と、
前記避難者受入指令受信工程の後、前記錠駆動制御装置に入力された前記避難者数情報に基づいて、予め設定された順にそれぞれの前記錠装置が前記施錠位置から前記解錠位置に変位するように前記錠駆動制御装置がそれぞれの前記錠駆動装置を制御する錠駆動制御工程と
を備えたことを特徴とするセキュリティ管理方法。
【発明の詳細な説明】
【技術分野】
【０００１】
この発明は、建物における複数の管理区画のそれぞれに形成された出入口を開閉する複数のドアに対応して設けられた錠装置を備えたセキュリティシステムおよびこのビルシステムを用いたセキュリティ管理方法に関する。
【背景技術】
【０００２】
従来、部屋に形成された出入口を開閉するドアに設けられ、ドアを施錠する施錠位置とドアが解錠される解錠位置との間で変位する複数の錠装置と、錠装置を変位させる錠駆動装置と、錠駆動装置の駆動を制御する錠駆動制御装置と、個人認証用カードから個人情報が入力されるカードリーダと、入力された個人情報を用いて個人認証を行う個人認証装置とを備え、錠駆動制御装置は、個人認証装置による個人認証の結果に基づいて、錠装置が施錠位置から解除位置に変位するように錠駆動装置を制御するセキュリティシステムが知られている。これにより、個人認証装置による個人認証によって許可された人のみが部屋に入ることができるので、建物のセキュリティが維持される（例えば、特許文献１参照）。
【先行技術文献】
【特許文献】
【０００３】
【特許文献１】特開２００８−１５０８２３号公報
【発明の概要】
【発明が解決しようとする課題】
【０００４】
しかしながら、例えば、地震または津波などの災害が発生し、建物の外にいる人々が建物の中に避難する場合に、個人認証用カードを所持していない人は、建物の中に避難することができないという問題点があった。
【０００５】
この発明は、セキュリティの低下を抑制するとともに、より多くの人が建物の中に避難することができるセキュリティシステムおよびセキュリティ管理方法を提供するものである。
【課題を解決するための手段】
【０００６】
この発明に係るセキュリティシステムは、建物における複数の管理区画のそれぞれに形成された出入口を開閉する複数のドアのそれぞれに対応して設けられ、ドアを施錠する施錠位置とドアが解錠される解錠位置との間で変位する複数の錠装置と、それぞれの錠装置を変位させる複数の錠駆動装置と、建物に進入する避難者の数を示す避難者数情報が入力され、それぞれの錠駆動装置の駆動を制御する錠駆動制御装置と、避難者受入指令を受信する受信装置とを備え、錠駆動制御装置は、受信装置が避難者受入指令を受信する場合に、避難者数情報に基づいて、予め設定された順にそれぞれの錠装置が施錠位置から解錠位置に変位するようにそれぞれの錠駆動装置を制御する。
【発明の効果】
【０００７】
この発明に係るセキュリティシステムによれば、建物における複数の管理区画のそれぞれに形成された出入口を開閉する複数のドアのそれぞれに対応して設けられ、ドアを施錠する施錠位置とドアが解錠される解錠位置との間で変位する複数の錠装置と、それぞれの錠装置を変位させる複数の錠駆動装置と、建物に進入する避難者の数を示す避難者数情報が入力され、それぞれの錠駆動装置の駆動を制御する錠駆動制御装置と、避難者受入指令を受信する受信装置とを備え、錠駆動制御装置は、受信装置が避難者受入指令を受信する場合に、避難者数情報に基づいて、予め設定された順にそれぞれの錠装置が施錠位置から解錠位置に変位するようにそれぞれの錠駆動装置を制御するので、例えば、地震または津波などの災害が発生する場合に、建物に進入する避難者の数に対応して、複数の錠装置が予め設定された順に施錠位置から解錠位置に変位する。これにより、セキュリティの低下を抑制するとともに、より多くの人が建物の中に避難することができる。
【図面の簡単な説明】
【０００８】
【図１】この発明の実施の形態１に係るセキュリティシステムが設置される建物を示す構成図である。
【図２】図１の建物に設置されるセキュリティシステムを示すブロック図である。
【図３】避難者を受け入れる場合のセキュリティシステムの動作を示すフローチャートである。
【発明を実施するための形態】
【０００９】
実施の形態１．
図１はこの発明の実施の形態１に係るセキュリティシステムが設置される建物を示す構成図である。図において、建物は、１Ｆに形成された会議室１０１と、２Ｆに形成された営業オフィス１０２と、３Ｆに形成された総務・経理オフィス１０３と、４Ｆに形成された研究・開発室１０４と、屋上１０５と、１Ｆから屋上１０５まで渡って形成された共用エリア１０６とを備えている。会議室１０１、営業オフィス１０２、総務・経理オフィス１０３、研究・開発室１０４、屋上１０５および共用エリア１０６は、管理区画となっている。
【００１０】
会議室１０１には、出入口１１１が形成されている。通行者は、出入口１１１を通ることによって、会議室１０１と共用エリア１０６との間を移動することができる。営業オフィス１０２には、出入口１１２が形成されている。通行者は、出入口１１２を通ることによって、営業オフィス１０２と共用エリア１０６との間を移動することができる。総務・経理オフィス１０３には、出入口１１３が形成されている。通行者は、出入口１１３を通ることによって、総務・経理オフィス１０３と共用エリア１０６との間を移動することができる。研究・開発室１０４には、出入口１１４が形成されている。通行者は、出入口１１４を通ることによって、研究・開発室１０４と共用エリア１０６との間を移動することができる。屋上１０５には、出入口１１５が形成されている。通行者は、出入口１１５を通ることによって、屋上１０５と共用エリア１０６との間を移動することができる。
【００１１】
共用エリア１０６は、廊下および階段などから構成されている。共用エリア１０６には、出入口１１６が形成されている。通行者は、出入口１１６を通ることによって、共用エリア１０６の中と建物の外との間を移動することができる。
【００１２】
また、建物は、出入口１１１を開閉するドア１２１と、出入口１１２を開閉するドア１２２と、出入口１１３を開閉するドア１２３と、出入口１１４を開閉するドア１２４と、出入口１１５を開閉するドア１２５と、出入口１１６を開閉するドア１２６とを備えている。この例では、出入口１１６を開閉するドア１２６は、自動ドアとなっている。
【００１３】
図２は図１の建物に設置されるセキュリティシステムを示すブロック図である。セキュリティシステムは、入退室管理装置１と、６個の管理区画の出入口のそれぞれの近くに設けられ、個人認証カード２から個人認証情報が入力される６個の非接触カードリーダ３と、６個の非接触カードリーダ３に対応するように、６個の管理区画の出入口を開閉するドアのそれぞれに対応して設けられた６個の電気錠４と、会議室１０１、営業オフィス１０２、総務・経理オフィス１０３、研究・開発室１０４のそれぞれに設けられた情報端末装置５と、共用エリア１０６に設けられた報知装置６と、会議室１０１、営業オフィス１０２、総務・経理オフィス１０３、研究・開発室１０４のそれぞれに設けられた４個の警報装置７とを備えている。図２では、非接触カードリーダ３、電気錠４および警報装置７のそれぞれを１つずつ示しているが、セキュリティシステムは、６個の非接触カードリーダ３、６個の電気錠４および４個の警報装置７を備えている。報知装置６としては、開放される管理区画を示す開放管理区画情報についてアナウンスを行うスピーカ、または、開放される管理区画を示す開放管理区画情報を表示する表示装置が挙げられる。警報装置７としては、管理区画が開放されることをアナウンスするスピーカ、または、管理区画が開放されることを表示する表示装置が挙げられる。なお、警報装置７は、非接触カードリーダ３と一体に形成されてもよい。また、警報装置７は、入退室管理装置１と一体に形成されてもよい。
【００１４】
それぞれの電気錠４は、管理区画の出入口を開閉するドアを施錠する施錠位置とこのドアが解錠される解錠位置との間で変位する錠装置４１と、錠装置４１を変位させる錠駆動装置４２とを有している。
【００１５】
入退室管理装置１は、それぞれの錠駆動装置４２を制御する錠駆動制御装置１１と、外部から避難者受入指令を受信する受信装置１２と、操作されることによって避難者数を示す避難者数情報が入力される避難者数入力装置１３と、情報端末装置５を制御する情報端末制御装置１４と、報知装置６を制御する報知制御装置１５と、それぞれの警報装置７を制御する警報制御装置１６とを有している。受信装置１２が受信する避難者受入指令としては、例えば、緊急地震速報や津波警報などの外部から入力される指令、または、管理者が操作することによって外部から入力される指令が挙げられる。避難者数入力装置１３には、建物の外に配置された出入口門にいる監視者が避難者数入力装置１３を操作することによって、避難者数情報が入力される。管理者は、出入口門を通過する避難者を数えて、避難者数情報を避難者数入力装置に入力する。避難者数入力装置１３には、避難者数が随時入力される。
【００１６】
錠駆動制御装置１１は、非接触カードリーダ３から個人認証カード２の個人認証情報を取得し、取得した個人認証情報を用いて個人認証を行う。錠駆動制御装置１１は、個人認証の結果、取得した個人認証情報が予め登録された情報である場合に、個人認証情報が入力された非接触カードリーダ３に対応する電気錠４について錠装置４１が施錠位置から解錠位置に変位するように錠駆動装置４２を制御する。
【００１７】
また、錠駆動制御装置１１は、受信装置１２が避難者受入指令を受信し、避難者数入力装置１３から錠駆動制御装置１１に避難者数情報が入力された場合に、避難者数情報に基づいて、予め設定された順にそれぞれの錠装置４１が施錠位置から解錠位置に変位するようにそれぞれの錠駆動装置４２を制御する。
【００１８】
具体的には、錠駆動制御装置１１には、６個の錠装置４１のそれぞれについて、避難者数情報が対応して記憶されている。屋上１０５の出入口１１５を開閉するドア１２５についての錠装置４１に対応する避難者数情報および共用エリア１０６の出入口１１６を開閉するドア１２６についての錠装置４１に対応する避難者数情報は、０人となっている。つまり、屋上１０５の出入口を開閉するドア１２５に対応して設けられた錠装置４１および共用エリア１０６の出入口１１６を開閉するドア１２６に対応して設けられた錠装置４１は、受信装置１２が避難者受入指令を受信した場合に、避難者数情報の内容に関係なく、施錠位置から解錠位置に変位する。これにより、屋上１０５および共用エリア１０６が避難者に開放される。屋上１０５および共用エリア１０６は、合計で６００人の避難者を収容することが可能となっている。
【００１９】
会議室１０１の出入口１１１を開閉するドア１２１についての錠装置４１に対応する避難者数情報、営業オフィス１０２の出入口１１２を開閉するドア１２２についての錠装置４１に対応する避難者数情報および総務・経理オフィス１０３の出入口１１３を開閉するドア１２３についての錠装置４１に対応する避難者数情報は、６００人となっている。つまり、会議室１０１の出入口１１１を開閉するドア１２１に対応して設けられた錠装置４１、営業オフィス１０２の出入口１１２を開閉するドア１２２に対応して設けられた錠装置４１および避難者数情報および総務・経理オフィス１０３の出入口１１３を開閉するドア１２３に対応して設けられた錠装置４１は、受信装置１２が避難者受入指令を受信し、避難者数情報が６００人に達した場合に、施錠位置から解錠位置に変位する。これにより、会議室１０１、営業オフィス１０２および総務・経理オフィス１０３が避難者に開放される。会議室１０１、営業オフィス１０２および総務・経理オフィス１０３は、合計で６００人の避難者を収容することが可能となっている。
【００２０】
研究・開発室１０４の出入口１１４を開閉するドア１２４についての錠装置４１に対応する避難者数情報は、１２００人となっている。研究・開発室１０４の出入口１１４を開閉するドア１２４に対応して設けられた錠装置４１は、受信装置１２が避難者受入指令を受信し、避難者数情報が１２００人に達した場合に、予め設定されたカードが非接触カードリーダ３にかざされることによって、施錠位置から解錠位置に変位する。これにより、研究・開発室１０４が避難者に開放される。予め設定されたカードは、研究・開発室１０４の責任者が所持するようになっている。研究・開発室１０４は、２００人の避難者を収容することが可能となっている。
【００２１】
会議室１０１に設けられた警報装置７は、受信装置１２が避難者受入指令を受信することによって会議室１０１に対応する錠装置４１が施錠位置から解錠位置に変位する場合に、会議室１０１にいる人に対して会議室１０１が避難者に開放されることを報知する。これにより、会議室１０１にいる人は、避難者が会議室１０１に入る前に、避難者を受け入れるための準備を行うことができる。
【００２２】
営業オフィス１０２に設けられた警報装置７は、受信装置１２が避難者受入指令を受信することによって営業オフィス１０２に対応する錠装置４１が施錠位置から解錠位置に変位するに、営業オフィス１０２にいる人に対して営業オフィス１０２が避難者に開放されることを報知する。これにより、営業オフィス１０２にいる人は、避難者が営業オフィス１０２に入る前に、避難者を受け入れるための準備を行うことができる。
【００２３】
総務・経理オフィス１０３に設けられた警報装置７は、受信装置１２が避難者受入指令を受信することによって総務・経理オフィス１０３に対応する錠装置４１が施錠位置から解錠位置に変位する場合に、総務・経理オフィス１０３が避難者に開放されることを報知する。これにより、総務・経理オフィス１０３にいる人は、避難者が総務・経理オフィス１０３に入る前に、避難者を受け入れるための準備を行うことができる。
【００２４】
研究・開発室１０４に設けられた警報装置７は、受信装置１２が避難者受入指令を受信することによって研究・開発室１０４に対応する錠装置４１が施錠位置から解錠位置に変位する場合に、研究・開発室１０４が開放されることを報知する。これにより、研究・開発室１０４にいる人は、避難者が研究・開発室１０４に入る前に、避難者を受け入れるための準備を行うことができる。
【００２５】
情報端末制御装置１４は、それぞれの情報端末装置５の状態を通常状態と情報漏洩防止状態との間で変化させることができる。情報漏洩防止状態とは、例えば、ログオフの状態、機密情報を記憶したサーバーへのアクセスが制限された状態、ネットワークから遮断された状態、シャットダウンの状態などが挙げられる。情報端末装置５の状態が情報漏洩防止状態の場合には、情報端末装置５から機密情報が漏洩してしまうことが防止される。
【００２６】
情報端末制御装置１４は、受信装置１２が避難者受入指令を受信することによって錠装置４１が施錠位置から解錠位置に変位する場合に、施錠位置から解錠位置に変位する錠装置４１に対応する管理区画に設けられている情報端末装置５の状態を通常状態から情報漏洩防止状態に変化させる。
【００２７】
報知装置６は、受信装置１２が避難者受入指令を受信することによって施錠位置から解錠位置に変位する錠装置４１に対応する管理区画を示す開放管理区画情報を報知する。具体的には、会議室１０１、営業オフィス１０２、総務・経理オフィス１０３、研究・開発室１０４、屋上１０５および共用エリア１０６の中で開放されている管理区画を示す開放管理区画情報を報知する。これにより、避難者は、どの管理区画に避難することができるのかを知ることができる。
【００２８】
次に、セキュリティシステムの動作について説明する。図３は避難者を受け入れる場合のセキュリティシステムの動作を示すフローチャートである。まず、錠駆動制御装置１１は、受信装置１２が避難者受入指令を受信し（避難者受入指令受信工程）（ステップＳ１０１）、避難者数入力装置１３に避難者数情報の入力が開始されると（避難者数情報入力工程）（ステップＳ１０２）、報知装置６は、屋上１０５および共用エリア１０６が開放されることを報知し（報知工程）（ステップＳ１０３）、錠駆動制御装置１１は、屋上１０５および共用エリア１０６に対応する錠装置４１を施錠位置から解錠位置に変位させる（錠駆動制御工程）（ステップＳ１０４）。
【００２９】
その後、錠駆動制御装置１１は、避難者数入力装置１３に入力された避難者数情報に基づいて、避難者の数が６００人に達したか否かを判定する（ステップＳ１０５）。ステップＳ１０５で、避難者の数が６００人に達していないと錠駆動制御装置１１が判定すると、錠駆動制御装置１１は、避難者受入指令が継続しているか否かを判定する（ステップＳ１０６）。ステップＳ１０６で、避難者受入指令が継続していると錠駆動制御装置１１が判定すると、ステップＳ１０５に戻る。
【００３０】
一方、ステップＳ１０５で、避難者の数が６００人に達したと錠駆動制御装置１１が判定すると、報知装置６は、会議室１０１、営業オフィス１０２および総務・経理オフィス１０３が開放されることを報知し（報知工程）（ステップＳ１０７）、情報端末制御装置１４は、会議室１０１、営業オフィス１０２および総務・経理オフィス１０３のそれぞれに設けられている情報端末装置５の状態を通常状態から情報漏洩防止状態に変化させ（情報端末制御工程）（ステップＳ１０８）、錠駆動制御装置１１は、会議室１０１、営業オフィス１０２および総務・経理オフィス１０３に対応する錠装置４１を施錠位置から解錠位置に変位させ（錠駆動制御工程）（ステップＳ１０９）、警報装置７は、会議室１０１、営業オフィス１０２および総務・経理オフィス１０３が開放されることを警報（表示、通知）する（警報工程）（ステップＳ１１０）。
【００３１】
その後、錠駆動制御装置１１は、避難者数入力装置１３に入力された避難者数情報に基づいて、避難者の数が１２００人に達したか否かを判定する（ステップＳ１１１）。ステップＳ１１１で、避難者の数が１２００人に達していないと錠駆動制御装置１１が判定すると、錠駆動制御装置１１は、避難者受入指令が継続しているか否かを判定する（ステップＳ１１２）。ステップＳ１１２で、避難者受入指令が継続していると錠駆動制御装置１１が判定すると、ステップＳ１１１に戻る。
【００３２】
一方、ステップＳ１１１で、避難者の数が１２００人に達したと錠駆動制御装置１１が判定すると、報知装置６は、研究・開発室１０４が開放されることを報知し（報知工程）（ステップＳ１１３）、情報端末制御装置１４は、研究・開発室１０４に設けられている情報端末装置５の状態を通常状態から情報漏洩防止状態に変化させ（情報端末制御工程）（ステップＳ１１４）、錠駆動制御装置１１は、予め設定されたカードが非接触カードリーダ３にかざされることによって、責任者の立会いの下で、研究・開発室１０４に対応する錠装置４１を施錠位置から解錠位置に変位させ（錠駆動制御工程）（ステップＳ１１５）、警報装置７は、研究・開発室１０４が開放されることを警報（表示、通知）する（警報工程）（ステップＳ１１６）。
【００３３】
一方、ステップＳ１０６で、避難者受入指令が継続していないと錠駆動制御装置１１が判定すると、避難者が退室したことを管理者が確認し、避難者が退室したことを示す避難者退室確認情報が管理者によって駆動制御装置１１に入力され（ステップＳ１１７）、錠駆動制御装置１１は、解除位置に変位した錠装置４１を施錠位置に変位させる（錠駆動制御工程）（ステップＳ１１８）。また、ステップＳ１１２で、避難者受入指令が継続していないと錠駆動制御装置１１が判定するとステップＳ１１７に進む。以上により、避難者を受け入れる場合のセキュリティシステムの動作が終了する。
【００３４】
以上説明したように、この発明の実施の形態１に係るセキュリティシステムによれば、建物における複数の管理区画のそれぞれに形成された出入口を開閉する複数のドアのそれぞれに対応して設けられ、ドアを施錠する施錠位置とドアが解錠される解錠位置との間で変位する複数の錠装置４１と、それぞれの錠装置４１を変位させる複数の錠駆動装置４２と、建物に進入する避難者の数を示す避難者数情報が入力され、それぞれの錠駆動装置４２の駆動を制御する錠駆動制御装置１１と、避難者受入指令を受信する受信装置１２とを備え、錠駆動制御装置１１は、受信装置１２が避難者受入指令を受信する場合に、避難者数情報に基づいて、予め設定された順にそれぞれの錠装置４１が施錠位置から解錠位置に変位するようにそれぞれの錠駆動装置４２を制御するので、例えば、地震または津波などの災害が発生する場合に、建物に進入する避難者の数に対応して、複数の錠装置４１が予め設定された順に施錠位置から解錠位置に変位する。これにより、物理的セキュリティが低下するが、より多くの人が建物の中に避難することができる。
【００３５】
また、このセキュリティシステムは、それぞれの管理区画に設けられた複数の情報端末装置５を制御する情報端末制御装置１４をさらに備え、情報端末制御装置１４は、受信装置１２が避難者受入指令を受信することによって錠装置４１が施錠位置から解錠位置に変位する場合に、施錠位置から解錠位置に変位する錠装置４１に対応する管理区画に設けられている情報端末装置５の状態を通常状態から情報漏洩防止状態に変化させることで、情報に対するセキュリティを確保し、情報の流出等を抑制することができる。
【００３６】
また、このセキュリティシステムは、施錠位置から解錠位置に変位する錠装置４１に対応する管理区画を示す開放管理区画情報を報知する報知装置６をさらに備えているので、建物に進入した避難者に対して、開放されている管理区画を知らせることができる。
【００３７】
また、このセキュリティシステムは、管理区画に設けられた警報装置７をさらに備え、警報装置７は、受信装置１２が避難者受入指令を受信することによって、警報装置７が設けられている管理区画に対応する錠装置４１が施錠位置から解錠位置に変位する場合に、警報装置７が設けられている管理区画が開放されることを報知するので、開放される管理区画にいる人に対して、自身がいる管理区画が開放されることを知らせることができる。
【００３８】
また、この発明の実施の形態１に係るセキュリティ管理方法によれば、受信装置１２が避難者受入指令を受信する避難者受入指令受信工程と、避難者受入指令受信工程の後、錠駆動制御装置１１に入力された避難者数情報に基づいて、予め設定された順にそれぞれの錠装置４１が施錠位置から解錠位置に変位するように錠駆動制御装置１１がそれぞれの錠駆動装置４２を制御する錠駆動制御工程とを備えているので、例えば、地震または津波などの災害が発生する場合に、建物に進入する避難者の数に対応して、複数の錠装置４１が予め設定された順に施錠位置から解錠位置に変位する。これにより、セキュリティの低下を制御（コントロール）しつつ、より多くの人が建物の中に避難することができる。
【００３９】
なお、上記実施の形態１では、避難者数入力装置１３が操作されることによって、避難者数情報が避難者数入力装置１３に入力される構成について説明したが、これに限らず、例えば、ＣＣＴＶシステム、ゲートシステムなどを用いて避難者の数を数える避難者数計数装置をさらに備え、避難者数計数装置が錠駆動制御装置１１に避難者数情報を入力する構成であってもよい。
【００４０】
また、上記実施の形態１では、錠駆動制御装置１１が錠装置４１を施錠位置から解錠位置に変位させる構成について説明したが、錠駆動制御装置１１は、錠装置４１を施錠位置から解錠位置に変位させる場合に、その錠装置４１に対応する管理区画に設けられた飲料または食料などについての自動販売機を通常状態から緊急状態に変化させる構成であってもよい。自動販売機の緊急状態とは、無料で飲料または食料の供給が可能な状態である。
【００４１】
また、上記実施の形態１では、錠駆動制御装置１１が錠装置４１を施錠位置から解錠位置に変位させる構成について説明したが、錠駆動制御装置１１は、錠装置４１を施錠位置から解錠位置に変位させる場合に、避難者数を行政システムに通知する構成であってもよい。
【符号の説明】
【００４２】
１  入退室管理装置、２  個人認証カード、３  非接触カードリーダ、４  電気錠、５  情報端末装置、６  報知装置、７  警報装置、１１  錠駆動制御装置、１２  受信装置、１３  避難者数入力装置、１４  情報端末制御装置、１５  報知制御装置、１６  警報制御装置、４１  錠装置、４２  錠駆動装置、１０１  会議室、１０２  営業オフィス、１０３  総務・経理オフィス、１０４  研究・開発室、１０５  屋上、１０６  共用エリア、１１１  出入口、１１２  出入口、１１３  出入口、１１４  出入口、１１５  出入口、１１６  出入口、１２１  ドア、１２２  ドア、１２３  ドア、１２４  ドア、１２５  ドア、１２６  ドア。
【図１】
2015074921.tif 000003
【図２】
2015074921.tif 000004
【図３】
2015074921.tif 000005